(57)【要約】【課題】板状部材の前面側を開口部の開口端に沿って回動する指針部を備えた指針計器において、板状部材に対して指針部が浮遊して回動しているように見せる。【解決手段】指針計器は、円形の開口部２３が形成された第１板状部材２と、第１板状部材２の前面側から、第１板状部材２の内周縁部２５と開口部２３とを覆う円形の第２板状部材３と、第２板状部材３より前方側を開口端２４に沿って回動する指針部４１を有する指針４と、指針４のボス部４２に固定されて指針部４１を回動させる回転シャフト５１を備え、第１板状部材２が、第２板状部材３の外周端３３より外周側で第２板状部材３の背後から第２板状部材３と略同一面上まで延出する第１段差部２６と、第１段差部２６より外周側に第２板状部材と略同一面上に位置する外周部２７とを備え、指針４が、開口端２４と外周端３３の間隙を通してボス部４２と指針部４１とを連結させる腕部４３を有する。【選択図】図３
2009175097.tif 000002
【特許請求の範囲】
【請求項１】
円形の開口部が形成された第１板状部材と、
前記第１板状部材の前面側から、前記第１板状部材において前記開口部側の内周縁部と前記開口部とを覆う円形の第２板状部材と、
前記第２板状部材より前方側を、前記開口部の開口端に沿って回動する指針部を有する指針と、
前記指針のボス部に固定されて前記指針部を回動させる回転シャフトを有するムーブメントと、を備え、
前記第１板状部材は、前記第２板状部材の外周端より外周側で前記第２板状部材の背後から前記第２板状部材と略同一面上まで延出する第１段差部と、前記第１段差部より外周側に前記第２板状部材と略同一面上に位置する外周部とを備え、
前記指針は、前記開口端と前記外周端との間隙を通して前記ボス部と前記指針部とを連結させる腕部を有することを特徴とする指針計器。
【請求項２】
前記第１段差部は、前記内周縁部から外周側に向かって前記第２板状部材の前記背後から前記第２板状部材と略同一面上まで湾曲していることを特徴とする請求項１に記載の指針計器。
【請求項３】
前記第１段差部を照明する光源を備えることを特徴とする請求項１または２に記載の指針計器。
【請求項４】
円形の開口部が形成された第１板状部材と、
前記第１板状部材の背後側から、前記第１板状部材において前記開口部側の内周縁部と前記開口部とを覆う円形の第２板状部材と、
前記第１板状部材より前方側を、前記開口部の開口端に沿って回動する指針部を有する指針と、
前記指針のボス部に固定されて前記指針部を回動させる回転シャフトを有するムーブメントと、を備え、
前記第２板状部材は、前記開口端より内周側で前記第１板状部材の背後から前記第１板状部材と略同一面上まで延出する第２段差部と、前記第２段差部より内周側に前記第１板状部材と略同一面上に位置する内周部とを備え、
前記指針は、前記開口端と前記第２板状部材の外周端との間隙を通して前記ボス部と前記指針部とを連結させる腕部を有することを特徴とする指針計器。
【請求項５】
前記第２板状部材は、前記第２段差部より外周側であって前記外周端側に外周縁部を備え、
前記第２段差部は、前記外周縁部から内周側に向かって前記第１板状部材の前記背後から前記第１板状部材と略同一面上まで湾曲していることを特徴とする請求項４に記載の指針計器。
【請求項６】
前記第２段差部を照明する光源を備えることを特徴とする請求項４または５に記載の指針計器。
【請求項７】
前記指針部は、前記指針部と前記腕部の固定部位から、回転中心側と前記回転中心と反対側の両方に延出し、
前記指針部において前記回転中心側の中心側端部と前記固定部位との中心側寸法を、前記指針部において前記反対側の先端部と前記固定部位との先端側寸法と比較して長く設定していることを特徴とする請求項１〜６のいずれか一項に記載の指針計器。
【請求項８】
前記指針部は、前記指針部と前記腕部の固定部位から、回転中心側と前記回転中心側と反対側の両方に延出し、
前記指針部の回転方向の幅を、前記回転中心側に向かって太く設定していることを特徴とする請求項１〜７のいずれか一項に記載の指針計器。
【請求項９】
前記第２板状部材の背後に配置され、情報を表示する表示パネルを備え、
表示パネルを視認させる開口窓を、前記第２板状部材に形成していることを特徴とする請求項１〜８のいずれか一項に記載の指針計器。
【発明の詳細な説明】
【技術分野】
【０００１】
本発明は、円形の開口部が形成された板状部材の前面側を、開口部の開口端に沿って回動する指針部を備えた指針計器に関するものである。
【背景技術】
【０００２】
従来より、円形の開口部が形成された板状部材の前面側を、開口部の開口端に沿って回動する指針部を備えた指針計器が開示されている（特許文献１）。
【０００３】
これは、円形の開口部が形成された文字盤と、開口部の背後に配置された液晶パネルと、指針部を有する指針と、指針のボス部に固定されて指針部を回動させる回転シャフトを有するムーブメントとを備える。液晶パネルは、開口部を通して表示像を視認させ、指針部は、文字盤の前面側を、開口部の開口端に沿って回動する。指針は、開口端と液晶パネルの外側端部の間隙を通してボス部と指針部とを連結させる腕部を有する。回転シャフトの回動が、腕部を介して指針部の回動として伝達され、指針部は、文字盤の前面側を開口端に沿って回動する。
【特許文献１】特開２００５−２２７２６４号公報
【発明の開示】
【発明が解決しようとする課題】
【０００４】
ここで、上述の指針計器において、間隙を通して文字盤の内部から腕部が延出して指針部に固定されていることを、目立たないようにできれば、文字盤に対して指針部が浮遊して回動しているように見せることが可能となる。
【０００５】
上述の指針計器では、文字盤と液晶パネルが開口端で重なっているため、開口端と液晶パネルの外側端部の間隙が見えないようになっている。しかし、文字盤の背後に液晶パネルが配置されているため、文字盤と液晶パネルによる段差が開口端で生じている。この段差によって開口端が目立つようになり、目立っている開口端の近傍で、指針部と腕部が固定されている。このため、この間隙を通して文字盤の内部から腕部が延出して指針部に固定されていることが、目立つようになっている。したがって、指針部が文字盤に対して浮遊して回動しているように見せることが困難になっている。
【０００６】
本発明は、このような事情を考慮してなされたものであり、円形の開口部が形成された板状部材の前面側を開口部の開口端に沿って回動する指針部を備えた指針計器において、板状部材に対して指針部が浮遊して回動しているように見せることを目的とする。
【課題を解決するための手段】
【０００７】
本発明は上記目的を達成するため、以下の技術的手段を採用する。
【０００８】
請求項１に記載の指針計器は、円形の開口部が形成された第１板状部材と、第１板状部材の前面側から、第１板状部材において開口部側の内周縁部と開口部とを覆う円形の第２板状部材と、第２板状部材より前方側を、開口部の開口端に沿って回動する指針部を有する指針と、指針のボス部に固定されて指針部を回動させる回転シャフトを有するムーブメントと、を備え、第１板状部材が、第２板状部材の外周端より外周側で第２板状部材の背後から第２板状部材と略同一面上まで延出する第１段差部と、第１段差部より外周側に第２板状部材と略同一面上に位置する外周部とを備え、指針が、開口端と外周端との間隙を通してボス部と指針部とを連結させる腕部を有することを特徴とする。
【０００９】
請求項１に記載の発明によれば、第２板状部材が、第１板状部材の前面側から、第１板状部材の内周縁部と開口部の両方を覆っているため、開口端と外周端との間隙が見えないようになっている。また、第１板状部材の外周部が、第２板状部材と略同一面上に位置するため、第２板状部材の外周端で生じている第１板状部材と第２板状部材の段差を、目立たないように見せることができる。また、腕部は、開口端と外周端との間隙を通して内部側から延出し、腕部と指針部は、外周端の近傍で固定されている。
【００１０】
したがって、内部側から腕部が延出する間隙が見えないようになっていると共に、腕部と指針部が固定されている外周端の近傍の段差を、目立たないように見せることができるため、この間隙を通して内部側から腕部が延出して指針部に固定されていることを目立たないようにできる。したがって、第１板状部材と第２板状部材とに対して指針部が浮遊して回動しているように見せることができる。
【００１１】
請求項２に記載の指針計器は、第１段差部が、内周縁部から外周側に向かって第２板状部材の背後から第２板状部材と略同一面上まで湾曲していることを特徴とする。
【００１２】
請求項２に記載の発明によれば、第１段差部が湾曲しているため、腕部と指針部が固定されている外周端の近傍の段差を、より目立たないように見せることができる。このため、この間隙を通して内部側から腕部が延出して指針部に固定されていることを、より目立たないようにできる。したがって、第１板状部材と第２板状部材とに対する指針部の浮遊感を、より高めることができる。
【００１３】
請求項３に記載の指針計器は、第１段差部を照明する光源を備えることを特徴とする。
【００１４】
請求項３に記載の発明によれば、第１段差部を照明しているため、腕部と指針部が固定されている外周端の近傍の段差を、より目立たないように見せることができる。このため、この間隙を通して内部側から腕部が延出して指針部に固定されていることを、より目立たないようにできる。したがって、第１板状部材と第２板状部材とに対する指針部の浮遊感を、より高めることができる。
【００１５】
請求項４に記載の指針計器は、円形の開口部が形成された第１板状部材と、第１板状部材の背後側から、第１板状部材において開口部側の内周縁部と開口部とを覆う円形の第２板状部材と、第１板状部材より前方側を、開口部の開口端に沿って回動する指針部を有する指針と、指針のボス部に固定されて指針部を回動させる回転シャフトを有するムーブメントと、を備え、第２板状部材が、開口端より内周側で第１板状部材の背後から第１板状部材と略同一面上まで延出する第２段差部と、第２段差部より内周側に第１板状部材と略同一面上に位置する内周部とを備え、指針が、開口端と外周端との間隙を通してボス部と指針部とを連結させる腕部を有することを特徴とする。
【００１６】
請求項４に記載の発明によれば、第２板状部材が、第１板状部材の背後側から、第１板状部材の内周縁部と開口部の両方を覆っているため、開口端と外周端との間隙が見えないようになっている。また、第２板状部材の内周部が、第１板状部材と略同一面上に位置するため、開口端で生じている第１板状部材と第２板状部材の段差を、目立たないように見せることができる。また、腕部は、開口端と外周端との間隙を通して内部側から延出し、腕部と指針部は、開口端の近傍で固定されている。
【００１７】
したがって、内部側から腕部が延出する間隙が見えないようになっていると共に、腕部と指針部が固定されている開口端の近傍の段差を、目立たないように見せることができるため、この間隙を通して内部側から腕部が延出して指針部に固定されていることを目立たないようにできる。したがって、第１板状部材と第２板状部材とに対して指針部が浮遊して回動しているように見せることができる。
【００１８】
請求項５および請求項６のように構成しても、それぞれ、請求項２および請求項３と同様の効果を奏することができる。
【００１９】
請求項７に記載の指針計器は、指針部が、指針部と腕部の固定部位から、回転中心側と回転中心と反対側の両方に延出し、指針部において回転中心側の中心側端部と固定部位との中心側寸法を、指針部において反対側の先端部と固定部位との先端側寸法と比較して長く設定していることを特徴とする。
【００２０】
請求項７に記載の発明によれば、指針部において中心側寸法を先端側寸法と比較して長く設定しているため、指針部を、回転中心側から延出している指針として認識させることが可能となり、指針部が回転中心側で回転駆動されているように見せることができる。このため、間隙を通して内部側から腕部が延出して指針部に固定されていることを、より目立たないようにできて、第１板状部材と第２板状部材とに対する指針部の浮遊感を、より高めることができる。
【００２１】
請求項８に記載の指針計器は、指針部が、指針部と腕部の固定部位から、回転中心側と回転中心側と反対側の両方に延出し、指針部の回転方向の幅を、回転中心側に向かって太く設定していることを特徴とする。
【００２２】
請求項８に記載の発明によれば、指針部の回転方向の幅を、回転中心側に向かって太く設定しているため、指針部を、回転中心側から延出している指針として認識させることが可能となり、指針部が回転中心側で回転駆動されているように見せることができる。このため、間隙を通して内部側から腕部が延出して指針部に固定されていることを、より目立たないようにできて、第１板状部材と第２板状部材とに対する指針部の浮遊感を、より高めることができる。
【００２３】
請求項９のように構成しても同様の効果を奏することができる。
【発明を実施するための最良の形態】
【００２４】
以下、本発明の実施形態を図面に基づいて説明する。以下の各実施形態相互において、図中の互いに同一若しくは均等である部分に、同一符号を付している。
【００２５】
（第１実施形態）
図１に示すスピードメータ１は、自車両の走行速度を表示するメータであり、自動車の車室内の運転席前方に設けたインストルメントパネル内に配置される。スピードメータ１は、文字２１と目盛２２が形成された第１文字盤２と、文字３１と目盛３２が形成された第２文字盤３と、指針部４１を有する指針４とを備える。
【００２６】
第１文字盤２と第２文字盤３は、ポリカーボネート樹脂等の透明樹脂板から形成され、透明樹脂板に例えば黒色の背景層を形成し、文字２１，３１と目盛２２，３２は、背景層の開口として形成される。文字２１は、マイル／時間（ＭＰＨ）を表し、文字３１は、キロメートル／時間（ｋｍ／ｈ）を表す。第１文字盤２には、円形の開口部２３が形成され、円形の第２文字盤３は、第１文字盤２の前面側から、第１文字盤２において開口部２３側の内周縁部２５（図２と図３）と開口部２３とを覆う。
【００２７】
指針部４１は、第２文字盤３より前方側（図２と図３において第２文字盤３より左側）を、開口部２３の開口端２４に沿って回動する、即ち、文字２１，３１と目盛２２，３２に沿って回動する。指針部４１が、走行速度に応じて所定角度回動して、走行速度に応じた文字２１，３１と目盛２２，３２を指示することにより、スピードメータ１は、自車両の走行速度を表示する。
【００２８】
図２と図３に示すように、第１文字盤２は、第２文字盤３の外周端３３より外周側（図２において上側と下側、図３において上側）で第２文字盤３の背後（図２と図３において右側）から第２文字盤３と略同一面上まで延出する第１段差部２６と、第１段差部２６より外周側（図２において上側と下側、図３において上側）に第２文字盤３と略同一面上に位置する外周部２７とを備える。第１段差部２６は、内周縁部２５から外周側に向かって第２文字盤３の背後から第２文字盤３と略同一面上まで湾曲している。
【００２９】
第２文字盤３の背後には、発光ダイオード６１、６２が配置され、発光ダイオード６１、６２と第２文字盤３の間に、発光ダイオード６１の発した光を、図３に示す光路Ｐ１にしたがって第１段差部２６に導くプリズム６５が配置される。プリズム６５は、透明なアクリル樹脂などから形成され、発光ダイオード６２の発した光を、第２文字盤３に均一に導いて第２文字盤３を透過照明させる機能も有する。発光ダイオード６１、６２は、プリント基板７１に実装され、プリズム６５とプリント基板７１は、ケース１１に固定され、第２文字盤３は、ケース１１に固定されるプリズム６５に固定される。
【００３０】
スピードメータ１は、請求項に記載の指針計器に相当し、第１文字盤２は、請求項に記載の第１板状部材に相当し、第２文字盤３は、請求項に記載の第２板状部材に相当し、発光ダイオード６１は、請求項に記載の光源に相当する。
する。
【００３１】
ムーブメント５は、指針４のボス部４２に固定されて指針部４１を回動させる回転シャフト５１を有する。ムーブメント５は、ステッピングモータ、あるいは交差コイル式回転機などの電気アクチュエータからなり、外部からの電気信号（スピードメータ１の場合は、自動車の走行速度信号）に対応した角度だけ回転シャフト５１を回動させるものである。ムーブメント５と、第１文字盤２を透過照明する発光ダイオード６４は、プリント基板７２に実装される。また、プリント基板７１は、図示しない電気配線によってプリント基板７２と電気的に接続され、発光ダイオード６１、６２の点燈・消燈の制御は、プリント基板７１，７２を介して行われるように構成される。
【００３２】
指針４は、回転シャフト５１に固定されるボス部４２と、第１文字盤２の開口端２４と第２文字盤３の外周端３３との間隙を通してボス部４２と指針部４１とを連結させる腕部４３を有する。指針部４１内には、発光ダイオード６３と、発光ダイオード６３の発した光を受けて発光する指針発光部４１０が配置される。指針発光部４１０は、透明なアクリル樹脂等から形成され、発光ダイオード６３の発した光を前方（図３において左側）へ反射する反射面が、裏面（図３において右側の面）に形成される。
【００３３】
指針４において指針発光部４１０を除いた指針本体部は、例えば黒色のアクリロニトリル・ブタジエン・スチレン（ＡＢＳ）樹脂で一体的に形成され、指針発光部４１０は、この指針本体部に引っ掛け等によって固定される。発光ダイオード６３からの図示しない電気配線は、指針本体部内を通してボス部４２で外部に取り出され、プリント基板７２と電気的に接続される。ボス部４２とプリント基板７２の間は、フレキシブルな電気配線とされ、発光ダイオード６３の点燈・消燈の制御は、プリント基板７２を介して行われるように構成される。
【００３４】
指針部４１は、指針部４１と腕部４３の固定部位４４から、回転中心側（図３において下側）と回転中心と反対側（図３において上側）の両方に延出する。また、指針部４１において回転中心側の中心側端部４１１と固定部位４４との中心側寸法Ｌ１（図１）を、指針部４１において回転中心と反対側の先端部４１２と固定部位４４との先端側寸法Ｌ２（図１）と比較して長く設定する。さらに、図１に示すように、指針部４１の回転方向の幅Ｗを、回転中心軸ＣＡ側に向かって太く設定する。
【００３５】
図２に示すように、第１文字盤２と、回転シャフト５１を介して指針４が固定されたプリント基板７２は、ケース１３に固定され、第２文字盤３等が固定されたケース１１は、ケース１３の支持部１３１に固定される。第１文字盤２、第２文字盤３、指針４、プリント基板７２、および、ケース１１等は、ケース１２，１３と透明カバー１４からなる筐体内に、収容固定される。
【００３６】
以上のように、図３において、第２文字盤３が、第１文字盤２の前面側から、第１文字盤２の内周縁部２５と開口部２３の両方を覆っているため、第１文字盤２の開口端２４と第２文字盤３の外周端３３との間隙が見えないようになっている。また、第１文字盤２の外周部２７が、第２文字盤３と略同一面上に位置するため、第２文字盤３の外周端３３で生じている第１文字盤２と第２文字盤３の段差を、目立たないように見せることができる。また、指針４の腕部４３は、第１文字盤２の開口端２４と第２文字盤３の外周端３３との間隙を通して内部側（図３において右側）から延出し、腕部４３と指針部４１の固定部位４４は、第２文字盤３の外周端３３の近傍に位置する。
【００３７】
したがって、内部側から腕部が延出する間隙が見えないようになっていると共に、腕部４３と指針部４１の固定部位４４が位置する外周端３３の近傍の段差を、目立たないように見せることができるため、開口端２４と外周端３３との間隙を通して内部側（図３において右側）から腕部４３が延出して指針部４１に固定されていることを目立たないようにできる。したがって、第１文字盤２と第２文字盤３とに対して指針部４１が浮遊して回動しているように見せることができる。
【００３８】
また、第１段差部２６が湾曲しているため、腕部４３と指針部４１の固定部位４４が位置する外周端３３の近傍の段差を、より目立たないように見せることができる。このため、開口端２４と外周端３３との間隙を通して内部側から腕部４３が延出して指針部４１に固定されていることを、目立たないようにできる。したがって、第１文字盤２と第２文字盤３とに対する指針部４１の浮遊感を、より高めることができる。
【００３９】
また、第１段差部２６を発光ダイオード６１によって照明しているため、腕部４３と指針部４１の固定部位４４が位置する外周端３３の近傍の段差を、より目立たないようにできる。このため、開口端２４と外周端３３との間隙を通して内部側から腕部４３が延出して指針部４１に固定されていることを、より目立たないようにできる。これにより、第１文字盤２と第２文字盤３とに対する指針部４１の浮遊感を、より高めることができる。
【００４０】
また、図１に示すように、指針部４１において中心側寸法Ｌ１を先端側寸法Ｌ２と比較して長く設定しているため、指針部４１を、回転中心ＣＡ側から延出している指針として認識させることが可能となり、指針部が回転中心ＣＡ側で回転駆動されているように見せることができる。このため、開口端２４と外周端３３との間隙を通して内部側から腕部４３が延出して指針部４１に固定されていることを、より目立たないようにできて、第１文字盤２と第２文字盤３とに対する指針部４１の浮遊感を、より高めることができる。
【００４１】
さらに、指針部４１の回転方向の幅Ｗを、回転中心ＣＡ側に向かって太く設定しているため、指針部４１を、回転中心ＣＡ側から延出している指針として認識させることが可能となり、指針部４１が回転中心側で回転駆動されているように見せることができる。このため、開口端２４と外周端３３との間隙を通して内部側から腕部４３が延出して指針部４１に固定されていることを、より目立たなくできて、第１文字盤２と第２文字盤３とに対する指針部４１の浮遊感を、より高めることができる。
【００４２】
（第２実施形態）
図１から図３で示す第１実施形態では、スピードメータ１において、円形の第２文字盤３が、第１文字盤２の前面側から第１文字盤２の内周縁部２５と開口部２３とを覆っていたが、これに限らない。図４から図６で示すように、第２実施形態では、スピードメータ１Ａにおいて、円形の第２文字盤３Ａが、第１文字盤２Ａの背後側から、第１文字盤２Ａの内周縁部２５Ａと開口部２３Ａとを覆う。
【００４３】
また、図６に示すように、第２文字盤３Ａは、開口端２４Ａの内周側（図６において下側）で第１文字盤２Ａの背後（図６において右側）から第１文字盤２Ａと略同一面上まで延出する第２段差部３５Ａと、第２段差部３５Ａより内周側に第１文字盤２Ａと略同一面上に位置する内周部３６Ａと、第２段差部３５Ａより外周側（図６において上側）であって外周端３３Ａ側に外周縁部３４Ａとを備える。第２段差部３５Ａは、第２文字盤３Ａの外周縁部３４Ａから内周側に向かって第１文字盤２Ａの背後から第１文字盤２Ａと略同一面上まで湾曲している。
【００４４】
第２文字盤３Ａの背後には、第２文字盤３Ａを透過照明する発光ダイオード６２と、発光ダイオード６２が実装されたプリント基板７１Ａが配置され、第２文字盤３Ａとプリント基板７１Ａは、ケース１１Ａに固定される。第２段差部３５Ａを照明する発光ダイオード６１は、プリント基板７２に実装され、発光ダイオード６１の発した光を、図３に示す光路Ｐ２にしたがって第２段差部３５Ａに導くプリズム６５Ａが、配置される。
【００４５】
スピードメータ１Ａは、請求項に記載の指針計器に相当し、第１文字盤２Ａは、請求項に記載の第１板状部材に相当し、第２文字盤３Ａは、請求項に記載の第２板状部材に相当する。
【００４６】
なお、第２実施形態では、上述のように構成しているため、図３に示す第１実施形態において指針４の腕部４３を、図６に示す指針４Ａにおいて構造を変更させた腕部４３Ａとしている。
【００４７】
第２実施形態では、以上のように、図６において、第２文字盤３Ａが、第１文字盤２Ａの背後側から、第１文字盤２Ａの内周縁部２５Ａと開口部２３Ａの両方を覆っているため、第１文字盤２Ａの開口端２４Ａと第２文字盤３Ａの外周端３３Ａとの間隙が見えないようになっている。また、第２文字盤３Ａの内周部３６Ａが、第１文字盤２Ａと略同一面上に位置するため、第１文字盤２Ａの開口端２４Ａで生じている第１文字盤２Ａと第２文字盤３Ａの段差を、目立たないように見せることができる。また、腕部４３Ａは、開口端２４Ａと外周端３３Ａとの間隙を通して内部側（図６において右側）から延出し、腕部４３Ａと指針部４１は、開口端２４Ａの近傍で固定されている。
【００４８】
したがって、内部側から腕部４３Ａが延出する間隙が見えないようになっていると共に、腕部４３Ａと指針部４１が固定されている開口端２４Ａの近傍の段差を、目立たないようにできる。また、第２段差部３５Ａを湾曲させ、第２段差部３５Ａを発光ダイオード６１によって照明している。これらによって、第１実施形態と同様の効果を得ることができる。
【００４９】
（第３実施形態）
上述の実施形態では、スピードメータ１、１Ａにおいて、円形の第２文字盤３、３Ａが、第１文字盤２、２Ａの前面側または背後側から第１文字盤２、２Ａの内周縁部２５，２５Ａと開口部２３，２３Ａとを覆っていたが、これに限らない。図７から図９で示すように、第３実施形態では、スピードメータ１Ｂにおいて、円形の化粧板８０が、第１文字盤２Ａの前面側から、第１文字盤２の内周縁部２５と開口部２３とを覆う。
【００５０】
化粧板８０の背後には、液晶パネル８１が配置され、液晶パネル８１の表示像は、化粧板８０に形成された開口窓８０１を通して視認される。図１に示す液晶パネル８１は、アイコン８１１と設定値８１２を表示している。アイコン８１１は、前走車を後方から見た模式図を示し、設定値８１２は、オートクルーズコントロールにおいて自車両と前走車の車間距離の設定値を示す。
【００５１】
スピードメータ１Ｂは、請求項に記載の指針計器に相当し、化粧板８０は、請求項に記載の第２板状部材に相当し、液晶パネル８１は、請求項に記載の表示パネルに相当する。
【００５２】
図９に示すように、液晶パネル８１の背後（図９において右側）には、液晶パネル８１を透過照明する発光ダイオード６２が配置され、液晶パネル８１と発光ダイオード６２の間には、発光ダイオード６２が発した光を液晶パネル８１に均一の導く光拡散板８２が配置される。化粧板８０の背後には、発光ダイオード６１の発した光を、図９に示す光路Ｐ３にしたがって第１段差部２６に導くプリズム６５Ｂが配置される。発光ダイオード６１、６２は、プリント基板７１に実装され、化粧板８０と液晶パネル８１と光拡散板８２とプリズム６５Ｂとプリント基板７１は、ケース１１Ｂに固定される。
【００５３】
第３実施形態においても、上述の実施形態と同様の効果を得ることができる。
【００５４】
なお、円形の化粧板８０１が、第１文字盤２Ａの背後側から、第１文字盤２の内周縁部２５と開口部２３とを覆う構成とすることも可能である。これによっても、上述と同様の効果を得ることができる。
【図面の簡単な説明】
【００５５】
【図１】本発明の第１実施形態によるスピードメータの正面図である。
【図２】図１中のＩＩ−ＩＩ線の断面図である。
【図３】図２中のＩＩＩ部の拡大図である。
【図４】本発明の第２実施形態によるスピードメータの正面図である。
【図５】図４中のＶ−Ｖ線の断面図である。
【図６】図５中のＶＩ部の拡大図である。
【図７】本発明の第３実施形態によるスピードメータの正面図である。
【図８】図７中のＶＩＩＩ−ＶＩＩＩ線の断面図である。
【図９】図８中のＩＸ部の拡大図である。
【符号の説明】
【００５６】
１，１Ａ，１Ｂ  スピードメータ（指針計器）、２、２Ａ  第１文字盤（第１板状部材）
２１  文字、２２  目盛、２３，２３Ａ  開口部、２４，２４Ａ  開口端
２５，２５Ａ  内周縁部、２６  第１段差部、２７  外周部
３、３Ａ  第２文字盤（第２板状部材）
３１  文字、３２  目盛、３３，３３Ａ  外周端、３４Ａ  外周縁部
３５Ａ  第２段差部、３６Ａ  内周部、４、４Ａ  指針、４１  指針部
４１０  指針発光部、４２  ボス部、４３，４３Ａ  腕部、４４  固定部位
５  ムーブメント、５１  回転シャフト、６１  発光ダイオード（光源）
６２−６４  発光ダイオード、６５，６５Ａ，６５Ｂ  プリズム
７１，７１Ａ、７２  プリント基板、８０  化粧板（第２板状部材）、８０１  開口窓
８１  液晶パネル（表示パネル）、８１１  アイコン、８１２  設定値、８２  光拡散板
１１−１３，１１Ｂ  ケース、１３１，１３２  支持部、１４  透明カバー
【図１】
2009175097.tif 000003
【図２】
2009175097.tif 000004
【図３】
2009175097.tif 000005
【図４】
2009175097.tif 000006
【図５】
2009175097.tif 000007
【図６】
2009175097.tif 000008
【図７】
2009175097.tif 000009
【図８】
2009175097.tif 000010
【図９】
2009175097.tif 000011